【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
同一の配線上で電力信号およびデジタルデータ信号を同時に伝送する配線と共に使用し、第１データユニットおよび第２データユニットを、それぞれ、異なる第１および第２データストリームに接続するための装置であって、
前記デジタルデータ信号は時分割多重を使用して伝送される前記異なる第１および第２データストリームを含み、
前記装置は、
単一の筐体と、該単一の筐体内に、
前記配線に接続するための配線コネクターと、
前記デジタルデータ信号に接続するための前記配線コネクターに結合された配線モデムと、
前記第１データユニットに接続可能な第１標準データコネクターと、
前記第１データユニットとのデータ通信のための前記第１標準データコネクターと結合された第１データトランシーバーと、
前記第２データユニットに接続可能な第２標準データコネクターと、
前記第２データユニットとのデータ通信のための前記第２標準データコネクターと結合された第２データトランシーバーと、
前記第１データストリームのみ前記第１データトランシーバーに接続し、前記第２データストリームのみ前記第２データトランシーバーに接続するための、前記配線モデムと前記第１および第２データトランシーバーとに結合されたマルチポートユニットと、
前記装置の少なくとも一部は前記電力信号によって給電されるために前記配線コネクターに結合された装置。
【請求項２】
前記第１および第２データストリームはパケットをベースとしたデータストリームである請求項１に記載の装置。
【請求項３】
前記マルチポートユニットはブリッジ、ルーター、ゲートウェイのうち１つからなる請求項１に記載の装置。
【請求項４】
前記電力信号は交流（ＡＣ）である請求項１に記載の装置。
【請求項５】
前記デジタルデータ信号はデジタルデータ信号の周波数帯域で伝送され、前記電力信号は前記デジタルデータ信号の周波数帯域とは異なる周波数帯域で伝送され、
前記装置は、
前記デジタルデータ信号のみ通過させるための前記配線コネクターと前記配線モデムの間に結合された第１フィルターと、
前記装置の一部に前記電力信号のみ通過させるための前記配線コネクターに結合された第２フィルターと、
をさらに備える請求項１に記載の装置。
【請求項６】
前記第１および第２データストリームはイーサネット（登録商標）をベースとしたデータストリームである請求項１に記載の装置。
【請求項７】
サービス線対と共に使用し、双方向有線デジタルデータ信号をデータユニットに接続し、アナログサービス信号をサービスユニットに接続するための装置であって、
前記サービス線対は、周波数分割多重を使用して、双方向有線デジタルデータ信号と、サービス信号の周波数帯域で伝送されるアナログサービス信号とを同時に伝送し、
前記双方向有線デジタルデータ信号は、前記サービス信号の周波数帯域とは異なる周波数帯域で伝送され、
前記装置は、
単一の筐体と、該単一の筐体内に、
前記サービス線対に接続するための配線コネクターと、
前記アナログサービス信号のみ通過させるための前記配線コネクターに結合された第１フィルターと、
前記第１フィルターに結合され、前記アナログサービス信号を前記サービスユニットに接続するための前記サービスユニットに接続可能な標準サービスコネクターと、
前記双方向有線デジタルデータ信号のみ通過させるための前記配線コネクターに結合された第２フィルターと、
前記第２フィルターに結合されたモデムと、
前記データユニットに接続可能な標準データコネクターと、
パケットをベースとした双方向のデジタルデータを前記データユニットに接続するための前記標準データコネクターに結合されたトランシーバーと、
前記双方向有線デジタルデータ信号に含まれる有線デジタルデータと前記パケットをベースとしたデジタルデータとを接続するための、前記モデムおよび前記トランシーバーに結合されたブリッジ、ルーター、リピーターのうち１つからなるマルチポートデバイスと、
前記モデムおよび前記トランシーバーに給電するための前記モデムおよび前記トランシーバーに結合された電源と、
を備える装置。
【請求項８】
前記双方向有線デジタルデータ信号はｘＤＳＬ（x Digital Subscriber Line）をベースとした信号であり、前記アナログサービス信号はアナログ電話信号である請求項７に記載の装置。
【請求項９】
前記標準データコネクターおよび前記トランシーバーは、イーサネット（登録商標）ＩＥＥＥ８０２．３インターフェースに結合するために機能する請求項７に記載の装置。
【請求項１０】
電源に接続可能な電源コネクターをさらに備え、
前記電源は、前記電源から前記モデムおよび前記トランシーバーに給電するために前記電源コネクターに結合される請求項７に記載の装置。
【請求項１１】
前記サービス線対は電力をさらに伝達し、
前記電源は、前記電力を取得し、前記電力を前記装置内の少なくとも１つの構成要素に供給するために前記配線コネクターに結合される請求項７に記載の装置。
【請求項１２】
前記サービス線対は電話線対であり、前記アナログサービス信号はアナログ電話信号である請求項７に記載の装置。
【請求項１３】
前記双方向有線デジタルデータ信号に含まれる有線デジタルデータは時分割多重を使用した異なる第１および第２データストリームを含み、
前記第１データストリームは前記データユニットにのみ接続され、
前記装置は、
追加の第２データユニットに接続可能な第２標準データコネクターと、
前記第２標準データコネクターおよび前記マルチポートデバイスに結合された第２トランシーバーと、
をさらに備え、
前記第２データストリームは前記第２データユニットにのみ接続される請求項７に記載の装置。
【請求項１４】
周波数分割多重を使用してｘＤＳＬ信号およびアナログ電話信号を同時に伝送する電話線対と共に使用し、時分割多重を使用して単一のｘＤＳＬ接続で伝送されるインターネットをベースとした異なる第１および第２データストリームをそれぞれ第１および第２データユニットに接続するための装置であって、
前記ｘＤＳＬ信号は高い周波数帯域で伝送され、前記アナログ電話信号は低い周波数帯域で伝送され、
前記装置は、
単一の筐体と、該単一の筐体内に、
前記電話線対に接続するためのポートと、
前記ｘＤＳＬ信号のみ通過させるための前記ポートに結合されたハイパスフィルターと、
前記ハイパスフィルターに結合されたｘＤＳＬモデムと、
前記第１データユニットに接続可能な第１標準データコネクターと、
前記第１データユニットとのインターネットをベースとした第１データストリームの通信のための前記第１標準データコネクターと結合された第１データトランシーバーと、
前記第２データユニットに接続可能な第２標準データコネクターと、
前記第２データユニットとのインターネットをベースとした第２データストリームの通信のための前記第２標準データコネクターと結合された第２データトランシーバーと、
前記ｘＤＳＬ信号と前記インターネットをベースとした第１および第２データストリームとを接続するための、前記ｘＤＳＬモデムと前記第１および第２データトランシーバーとに結合されたブリッジ、ルーター、リピーターのうち１つからなるマルチポートデバイスと、
を備える装置。
【請求項１５】
前記装置はアナログ電話デバイスに結合可能であり、
前記装置は、
前記アナログ電話信号のみ通過させるための前記ポートに結合されたローパスフィルターと、
前記アナログ電話信号を前記アナログ電話デバイスに接続するための前記ローパスフィルターに結合された電話コネクターと、
をさらに備える請求項１４に記載の装置。
【請求項１６】
前記装置は、周波数分割多重を使用して、双方向有線デジタルデータ信号と、アナログサービス信号の周波数帯域のアナログサービス信号とを伝送する建物内のサービス配線に結合可能であり、
前記双方向有線デジタルデータ信号は前記アナログサービス信号の周波数帯域と異なる周波数帯域で伝送され、
前記装置は、
前記サービス配線に結合するための配線コネクターと、
前記配線コネクターに結合され、前記双方向有線デジタルデータ信号のみ通過させるように機能する第２ハイパスフィルターと、
前記第２ハイパスフィルターと前記マルチポートデバイスとの間に結合されたモデムと、
をさらに備える請求項１４に記載の装置。
【請求項１７】
前記サービス配線は電話配線であり、
前記アナログサービス信号はアナログ電話信号である請求項１６に記載の装置。
【請求項１８】
前記装置はサービス引き出し口の中に組み込まれる請求項１４に記載の装置。
【請求項１９】
前記電話線対は電力を同時に伝達し、
前記装置は前記電力によって少なくとも部分的に給電されるために前記電力に接続可能である請求項１４に記載の装置。
【請求項２０】
電話線対と共に使用し、各々が異なる配線で伝送される第１および第２双方向デジタルデータ信号を相互におよびデータユニットに接続するための装置であって、
前記電話線対は、第１双方向デジタルデータを含むｘＤＳＬ信号を使用した第１双方向デジタルデータ信号と、電話信号の周波数帯域のアナログ電話信号とを同時に伝送し、
前記ｘＤＳＬ信号は、周波数分割多重を使用して第２双方向デジタルデータを含む第２双方向デジタルデータ信号とアナログサービス信号の周波数帯域で伝送されるアナログサービス信号とを同時に伝送するサービス線対を使用して、前記電話信号の周波数帯域とは異なり、前記電話信号の周波数帯域より高い周波数帯域で伝送され、
前記第２双方向デジタルデータ信号は、前記アナログサービス信号の周波数帯域とは異なる周波数帯域で伝送され、
前記装置は、
単一の筐体と、該単一の筐体内に、
前記装置を前記電話線対に接続するための第１ポートと、
前記ｘＤＳＬ信号のみ通過させるための前記第１ポートに結合された第１ハイパスフィルターと、
前記第１ハイパスフィルターに結合されたｘＤＳＬモデムと、
前記装置を前記サービス線対に接続するための第２ポートと、
前記第２双方向デジタルデータ信号のみ通過させるための前記第２ポートに結合された第２ハイパスフィルターと、
前記第２ハイパスフィルターに結合されたモデムと、
前記ｘＤＳＬモデムおよび前記モデムに結合されたブリッジ、ルーター、リピーターのうち１つからなり、前記第１および第２双方向デジタルデータ信号を相互に接続するように機能するマルチポートユニットと、
標準データインターフェース信号と、前記ｘＤＳＬ信号および前記第２双方向デジタルデータ信号のうち少なくとも１つとを接続するための前記マルチポートユニットに結合された標準データインターフェースと、
前記標準データインターフェースに結合され、前記標準データインターフェース信号を前記データユニットに接続するためのデータユニットに接続可能な標準データコネクターと、
を備える装置。
【請求項２１】
前記装置はアナログ電話デバイスに接続可能であり、
前記サービス配線は電話線対であり、
前記サービス信号はアナログ電話信号であり、
前記装置は、
前記アナログ電話信号のみ通過させるための前記第１ポートに結合されたローパスフィルターと、
前記アナログ電話信号をアナログ電話デバイスに接続するための前記ローパスフィルターに結合された電話コネクターと、
をさらに備える請求項２０に記載の装置。
【請求項２２】
前記装置は電話サービスユニットに接続可能であり、
前記装置は、
前記アナログサービス信号のみ通過させるための前記第２ポートに結合されたローパスフィルターと、
前記アナログサービス信号を電話サービスユニットに接続するための前記ローパスフィルターに結合された電話コネクターと、
をさらに備える請求項２０に記載の装置。
【請求項２３】
前記装置は引き出し口の中に組み込まれる請求項２０に記載の装置。
【請求項２４】
前記電話線対は電力を同時に伝達し、
前記装置は前記電力によって給電されるために前記電力に接続可能である請求項２０に記載の装置。